(57)【要約】【課題】  ＵＳＢ装置間をＵＷＢ無線化する方式と、その実施に用いる外部デバイス装置並びにＵＷＢ送受信機を提供する。【解決手段】  ＡＣ電源ケーブル３２とＤＶＤを読み書きするＤＶＤドライブ装置３３とＵＷＢ送受信機用のＤＣ電源コネクタ３４を設けた外部デバイス装置３にＵＷＢ送受信機４のＵＳＢプラグ４１をＵＳＢコネクタ３１と嵌合してＵＷＢ送受信機４を外部デバイス装置３に装着し、且つＤＣ電源コネクタ３４をＤＣ電源ケーブル５を介してＵＷＢ送受信機４のＤＣ電源コネクタ４３に接続し、前記外部デバイス装置３のＡＣ電源ケーブル３２を例えば家庭用コンセントに接続し、且つホストＰＣ１のＵＳＢコネクタ１１にＵＷＢ送受信機２のＵＳＢプラグ２１を接続する。【選択図】図２
2009009344.tif 000002
【特許請求の範囲】
【請求項１】
ホストＰＣ側のＵＷＢ送受信機にはホストＰＣに設けたＵＳＢコネクタと嵌合するＵＳＢプラグを設け、外部デバイス装置側のＵＷＢ送受信機には外部デバイス装置に設けたＵＳＢコネクタと嵌合するＵＳＢプラグと、ＤＣ電源入力側コネクタを設け、且つ前記外部デバイス装置には前記ＤＣ電源入力側コネクタへＤＣ電源ケーブルを介してＤＣ電源を供給するためのＤＣ電源出力側コネクタを設けて、前記ＰＣ側と外部デバイス装置にＵＳＢコネクタとＵＳＢプラグを介してそれぞれ接続したＵＷＢ送受信機によりＵＷＢ無線通信を行うことを特徴とするＵＳＢ装置間のＵＷＢ無線通信方式。
【請求項２】
ＵＷＢ送受信機用のＤＣ電源を出力できるＤＣジャックまたは接続用コネクタを備えたことを特徴する外部デバイス装置。
【請求項３】
ＵＷＢ送受信機用のＤＣ電源を出力できる接続用プラグ付ケーブルを備えたことを特徴とする外部デバイス装置
【請求項４】
外部デバイス装置からＵＷＢ送受信機用のＤＣ電源を出力するための電源供給用コネクタまたは、電源供給用プラグ付ケーブルと、前記外部デバイス装置に設けられたＵＳＢコネクタと嵌合するＵＳＢプラグを設けたことを特徴するＵＷＢ送受信装置。
【発明の詳細な説明】
【技術分野】
【０００１】
本発明は、ＵＳＢ装置を高速転送できるＵＷＢで無線化する方式とその実施に用いる装置に関するものである。
【背景技術】
【０００２】
現在、ＵＳＢ装置、例えばＵＳＢインターフェースを備えたホストＰＣとＵＳＢインターフェースを備えたプロジェクター，プリンタ，ＨＤＤ装置，ＤＶＤ装置等を無線化する方式として、高速転送できるＵＷＢでの無線化が実用化されているが、ＵＷＢ送受信装置は電源が必要であったり、ホストＰＣ１側のＵＷＢ送受信装置２は、図１に示すようにＵＳＢ電源を供給することができるが、デバイス装置３側のＵＳＢ送受信装置４は、その電源をＡＣアダプタ４２などから供給しなければならなかった。
【０００３】
ところが、この電源供給のため、大きなＡＣアダプタ電源を使用したり、高価な超寿命の電池搭載が必要となっている。
【特許文献１】特開２００６−１６４０８１号公報
【発明の開示】
【発明が解決しようとする課題】
【０００４】
そこで、本発明は、ＵＳＢ装置間をＵＷＢで無線化する方式と、その実施に用いる外部デバイス装置並びにＵＷＢ送受信機を提供することを課題とするものである。
【０００５】
本発明は上記の課題を解決するためになされたもので、請求項１記載の発明は、ホストＰＣ側のＵＷＢ送受信機にはホストＰＣに設けたＵＳＢコネクタと嵌合するＵＳＢプラグを設け、外部デバイス装置側のＵＷＢ送受信機には外部デバイス装置に設けたＵＳＢコネクタと嵌合するＵＳＢプラグと、ＤＣ電源入力側コネクタを設け、且つ前記外部デバイス装置には前記ＤＣ電源入力側コネクタへＤＣ電源ケーブルを介してＤＣ電源を供給するためのＤＣ電源出力側コネクタを設けて、前記ホストＰＣ側と外部デバイス装置にＵＳＢコネクタとＵＳＢプラグを介してそれぞれ接続したＵＷＢ送受信機によりＵＷＢ無線通信を行うことを特徴とするＵＳＢ装置間のＵＷＢ無線通信方式である。
【０００６】
また、請求項２記載の発明は、ＵＷＢ送受信機用のＤＣ電源を出力できるＤＣジャックまたは接続用プラグを備えたことを特徴する外部デバイス装置である。
【０００７】
また、請求項３記載の発明は、ＵＷＢ送受信機用のＤＣ電源を出力できる接続用コネクタまたは、接続用プラグ付ケーブルを備えたことを特徴とする外部デバイス装置である。
【０００８】
また、請求項４記載の発明は、外部デバイス装置からＵＷＢ送受信機用のＤＣ電源を出力するための電源供給用コネクタまたは、電源供給用プラグ付ケーブルと、前記外部デバイス装置に設けられたＵＳＢコネクタと嵌合するＵＳＢプラグを設けたことを特徴するＵＷＢ送受信装置である。
【０００９】
上記ＵＷＢ送受信機用のＤＣ電源とは、５Ｖまたは３Ｖまたは３．３ＶのＤＣ電源である。
【発明の効果】
【００１０】
本発明によれば、ＵＳＢ装置間のＵＷＢ無線通信を行うことが出来ることは勿論、デバイス装置側のＵＷＢ送受信機は従来のようにＡＣアダプタがないので構造が簡単で使い勝手がよいものを提供することができる。
【００１１】
また、電源ケーブルが外部デバイス装置の電源ケーブルに一本化されることにより、電源ケーブルの取り扱いが煩雑にならず、電源供給の問題による外部デバイス装置の設置場所の制約が軽減され、ＵＷＢによる無線通信の利点が発揮されることになる。
【実施例１】
【００１２】
図２は、本発明の一実施例を示すブロック図、図３は外部デバイス装置の電源供給回路の回路図で、３はＡＣ電源ケーブル３２とＤＶＤを読み書きするＤＶＤドライブ装置３３とＵＷＢ送受信機用のＤＣ電源コネクタ３４を設けた外部デバイス装置、４は前記ＵＷＢ送受信機用のＤＣ電源コネクタ３４からＤＣ電源ケーブル５を介して電源供給を受けるためのＤＣ電源コネクタ４３と外部デバイス装置３のＵＳＢコネクタ３１と嵌合するＵＳＢプラグ４１を設けたＵＷＢ送受信機である。
【００１３】
従って、ＵＳＢプラグ４１をＵＳＢコネクタ３１と嵌合してＵＷＢ送受信機４を外部デバイス装置３に装着した後、ＤＣ電源コネクタ３４と４３をＤＣ電源ケーブル５を介して接続し、例えば家庭用コンセントに外部デバイス装置３のＡＣ電源供給用の電源ケーブル３２を繋ぐだけでＵＷＢ送受信機４へ外部デバイス装置３からＤＣ電源を供給することができるので、家庭用コンセントは一つだけで済み、また余分なＡＣ電源ケーブル４２を必要としないため、外部デバイス装置３の設置場所を選ばなくてよくなる。
【実施例２】
【００１４】
図２に示した実施例では、ＤＣ電源コネクタ３４と４３をケーブル５を介して接続するようにしたが、外部デバイス装置３またはＵＷＢ送受信機４に電源供給用プラグ付ケーブルを設けて、ＵＷＢ送受信機４または外部デバイス装置３へ電源を供給する構造としてもよい。
【図面の簡単な説明】
【００１５】
【図１】従来のＵＷＢ送受信機によるホストＰＣと外部デバイス装置間の無線通信の状態を示すブロック図。
【図２】本発明の一実施例を示すブロック図。
【図３】本発明の一実施例における外部デバイス装置の電源供給回路図。
【符号の説明】
【００１６】
１          ホストＰＣ
１１，３１  ＵＳＢコネクタ
２，４      ＵＷＢ送受信機        
２１，４１  ＵＳＢプラグ
３          外部デバイス装置
３２        ＡＣ電源ケーブル
３３        ＤＶＤドライブ装置
３４，４３  ＤＣ電源コネクタ
５          ＤＣ電源ケーブル
【図１】
2009009344.tif 000003
【図２】
2009009344.tif 000004
【図３】
2009009344.tif 000005